(57)【要約】【課題】一例として、情報処理装置に表示される画像が放送波受信装置により表示されている映像と対応しているか否かがよりわかりやすい情報処理装置を得る。【解決手段】実施形態にかかる情報処理装置では、第一データ取得部は、自装置の外部から第一データを取得する。第二データ取得部は、受信した放送データに基づく映像を第二表示部に表示させる放送波受信装置から、放送データに対応した第一データを識別可能にする第二データを取得する。表示制御部は、第一データ取得部で取得された第一データに基づく第一画像が表示されるように第一表示部を制御するとともに、第一データ取得部で取得された第一データと第二データ取得部で取得された第二データとに基づいて、第一表示部で表示される第一画像が第二表示部で表示される映像に対応しているか否かを識別可能な第二画像を表示するよう第一表示部を制御する。【選択図】図２
2013131163.tif 000002
【特許請求の範囲】
【請求項１】
自装置の外部から第一データを取得する第一データ取得部と、
前記第一データに基づく第一画像を表示する第一表示部と、
受信した放送データに基づく映像を前記第一表示部とは異なる第二表示部に表示させる放送波受信装置から、前記放送データに対応した前記第一データを識別可能にする第二データを取得する第二データ取得部と、
前記第一データ取得部で取得された前記第一データに基づく前記第一画像が表示されるように前記第一表示部を制御するとともに、前記第一データ取得部で取得された前記第一データと前記第二データ取得部で取得された前記第二データとに基づいて、前記第一表示部で表示される前記第一画像が前記第二表示部で表示される前記映像に対応しているか否かを識別可能な第二画像を表示するよう前記第一表示部を制御する表示制御部と、
を備えた、情報処理装置。
【請求項２】
前記第二データは、前記放送データに対応した前記第一データの識別子を含む、請求項１に記載の情報処理装置。
【請求項３】
前記第二データは、前記放送データに対応した複数の前記第一データの識別子を含む、請求項２に記載の情報処理装置。
【請求項４】
前記第二データは、前記第一データに対応した時間データを含む、請求項１〜３のうちいずれか一つに記載の情報処理装置。
【請求項５】
前記第二データは、前記放送データに含まれる、請求項１〜４のうちいずれか一つに記載の情報処理装置。
【請求項６】
前記第一データは、前記放送データに含まれ、
前記第一データ取得部は、前記放送波受信装置から前記第一データを取得する、請求項１〜５のうちいずれか一つに記載の情報処理装置。
【請求項７】
前記表示制御部は、前記第二データ取得部で取得された前記第二データが変化した場合に、当該第二データの変化に応じて更新された前記第二画像を表示するよう前記第一表示部を制御する、請求項１〜６のうちいずれか一つに記載の情報処理装置。
【請求項８】
前記表示制御部は、前記第一データ取得部で取得された前記第一データが変化した場合に、当該第一データの変化に応じて更新された前記第二画像を表示するよう前記第一表示部を制御する、請求項１〜７のうちいずれか一つに記載の情報処理装置。
【請求項９】
放送データを受信する放送データ受信部と、
前記放送データ受信部で受信された前記放送データに基づく映像が第一表示部で表示されるよう当該第一表示部を制御する表示制御部と、
自装置と電気的に接続された情報処理装置の第二表示部で表示される画像の元となる第一データが前記第一表示部で表示される映像の元となる前記放送データに対応するか否かを識別可能とする第二データを前記情報処理装置に向けて送信するデータ送信部と、
を備えた、放送波受信装置。
【請求項１０】
情報処理装置の表示制御方法であって、
前記情報処理装置が、
自装置の外部から第一データを取得すること、
前記第一データに基づく第一画像が表示されるよう第一表示部を制御すること、
受信した放送データに基づく映像を第一表示部とは異なる第二表示部に表示させる放送波受信装置から、前記放送データに対応した前記第一データを識別可能にする第二データを取得すること、および、
前記取得された前記第一データと前記取得された前記第二データとに基づいて、前記第一表示部で表示される前記第一画像が前記第二表示部で表示される前記映像に対応しているか否かを識別可能な第二画像を表示するよう前記第一表示部を制御すること、
を含む表示制御方法。
【発明の詳細な説明】
【技術分野】
【０００１】
本発明の実施形態は、情報処理装置、放送波受信装置、および情報処理装置の表示制御方法に関する。
【背景技術】
【０００２】
従来、テレビ等の放送波受信装置で表示されている映像と対応した画像をコンピュータ等の情報処理装置に表示させる技術が知られている。
【先行技術文献】
【特許文献】
【０００３】
【特許文献１】特開２０１０−２５８８４９号公報
【発明の概要】
【発明が解決しようとする課題】
【０００４】
かかる技術では、情報処理装置に表示される画像が放送波受信装置により表示されている映像と対応しているか否かがよりわかりやすいのが望ましい。
【課題を解決するための手段】
【０００５】
本発明の実施形態にかかる情報処理装置は、第一データ取得部と、第一表示部と、第二データ取得部と、表示制御部と、を備えた。第一データ取得部は、自装置の外部から第一データを取得する。第一表示部は、第一データに基づく第一画像を表示する。第二データ取得部は、受信した放送データに基づく映像を第一表示部とは異なる第二表示部に表示させる放送波受信装置から、放送データに対応した第一データを識別可能にする第二データを取得する。表示制御部は、第一データ取得部で取得された第一データに基づく第一画像が表示されるように第一表示部を制御するとともに、第一データ取得部で取得された第一データと第二データ取得部で取得された第二データとに基づいて、第一表示部で表示される第一画像が第二表示部で表示される映像に対応しているか否かを識別可能な第二画像を表示するよう第一表示部を制御する。
【図面の簡単な説明】
【０００６】
【図１】図１は、実施形態にかかる放送波受信装置および情報処理装置を含むシステムの一例の概略構成が示された説明図である。
【図２】図２は、実施形態にかかる放送波受信装置および情報処理装置を含むシステムで用いられる第二データの一例が示された図である。
【図３】図３は、実施形態にかかる放送波受信装置および情報処理装置の一例が示されたブロック図である。
【図４】図４は、実施形態にかかる放送波受信装置で表示される映像が変更された場合の放送波受信装置での処理の一例が示されたフローチャートである。
【図５】図５は、実施形態にかかる放送波受信装置で表示される映像が変更された場合の情報処理装置での処理の一例が示されたフローチャートである。
【図６】図６は、実施形態にかかる情報処理装置で表示される画像が変更された場合等における情報処理装置での処理の一例が示されたフローチャートである。
【図７】図７は、実施形態にかかる情報処理装置で表示される画像が変更された場合等における情報処理装置での処理の図６とは別の一例が示されたフローチャートである。
【図８】図８は、実施形態にかかる情報処理装置で表示される画像の一例が模式的に示された図である。
【図９】図９は、実施形態にかかる情報処理装置で表示される画像の一例が模式的に示された図である。
【図１０】図１０は、実施形態にかかる情報処理装置で表示される画像の一例が模式的に示された図である。
【図１１】図１１は、実施形態にかかる情報処理装置で表示される画像の一例が模式的に示された図である。
【図１２】図１２は、実施形態にかかる情報処理装置で表示される画像の一例が模式的に示された図である。
【図１３】図１３は、実施形態にかかる情報処理装置で表示される画像の一例が模式的に示された図である。
【図１４】図１４は、実施形態にかかる放送波受信装置で表示される映像の一例が模式的に示された図である。
【図１５】図１５は、実施形態にかかる情報処理装置で図１４の映像と対応して表示される画像の一例が模式的に示された図である。
【発明を実施するための形態】
【０００７】
本実施形態では、一例として、図１に示されるように、システムは、放送基地局１００、放送波受信装置２００、情報処理装置３００、およびサーバ装置４００を含む。放送波受信装置２００、情報処理装置３００（自装置）、およびサーバ装置４００は、有線または無線のネットワーク５００（電気通信回線）を介して電気的に接続されており、相互にデータを送受信することができる。放送波受信装置２００は、一例としては、テレビジョン受像機である。なお、放送波受信装置２００は、出力部を有さず、接続された映像表示装置（図示されず）の出力部の出力を制御する構成としてもよい。また、情報処理装置３００は、一例としては、デスクトップ型、ノート型、タブレット型等のコンピュータや、スマートフォン、スマートブック、携帯電話機、ＰＤＡ（personal  digital  assistant）等である。
【０００８】
放送基地局１００は、例えば、放送番組等の放送データ（放送波、放送信号）を送信する。放送データには、チャンネル毎の映像データが含まれている。映像データは、例えば、ＭＰＥＧ２−ＴＳ（moving  picture  experts  group  2  -  transport  stream）形式のストリームである。
【０００９】
また、放送データには、チャンネルや、放送番組、放送番組中の区分等に対応した第一データ（表示データ）が含まれうる。第一データは、情報処理装置３００の出力部３０６（表示部）や放送波受信装置２００の出力部２１６（表示部）で出力される画像（第一画像）の元となるデータである。第一データは、例えば、ＨＴＭＬ（hypertext  markup  language）や、ＣＳＳ（cascading  style  sheets）、ＪａｖａＳｃｒｉｐｔ（登録商標）等の形式のデータである。第一データには、放送データに含まれる第一データに、放送受信装置２００が情報を付加したり、情報処理装置３００が変更を加えたりする場合もある。また、第一データは、ネットワーク５００を介して、放送波受信装置２００、情報処理装置３００、およびサーバ装置４００間で授受されうる。また、放送データには、第一データに替えて当該第一データを取得するための第三データが含まれる場合もある。第三データは、例えば、第一データのＵＲＬ（第一データの識別子）とすることができ、その場合、後述の第二データ１０（図２参照）の一部と兼用することもできる。
【００１０】
また、放送データには、当該放送データに対応した第一データを識別可能とする第二データ（識別データ）が含まれうる。例えば、図２に示されるように、第二データ１０には、チャンネル（チャンネル番号、チャンネルＩＤ）、番組ＩＤ、第一データのＵＲＬ１１（uniform  resource  locator、第一データの識別子）、時間データ１２等が、対応付けて含まれうる。データの形式や、含まれるデータの内容、種類等は、図２の例には限定されない。図２の例では、第二データ１０は、複数の第一データのＵＲＬのリストである。なお、第二データ１０では、ＵＲＬに替えてドメイン名を用いることができる。また、ＵＲＬは放送データに含まれるデータを識別するための情報であってもよい。時間データ１２は、第一データの有効期間を示すデータである。具体的には、一例として、図２に示される８桁の時間データ１２の左側の４桁は開始時刻、右側の４桁は終了時刻を示し、各時刻で左側の二桁は「時」右側の二桁は「分」である。すなわち、「１０００１２００」の時間データ１２は、そのＵＲＬが「http://aaaa.bbb.com/dd」である第一データの有効期間が１０時００分開始１２時００分終了であることを示す。また、第二データには時間データ１２を含めず、有効期限の変化毎に第二データを更新する方式でもよい。また、第二データ１０も、ネットワーク５００を介して、放送波受信装置２００、情報処理装置３００、およびサーバ装置４００間で授受されうる。図２に示されるＵＲＬが、対応状態（連携状態）の範囲である。通常、対応状態（連携状態）の範囲は、番組の制作者や放送データの提供者が作成し、提供する。
【００１１】
また、本実施形態では、一例として、図３に示されるように、放送波受信装置２００は、チューナ部２０１（Tuner部）や、デマルチプレクサ部２０２（Demux部）、通信部２０３、記憶部２０４、ＨＴＴＰサーバ部２０５、ウエブブラウザ部２０６（Web  browser部）、制御部２１１、受信部２１２、グラフィック再生部２１３（Graphics再生部）、映像・音声再生部２１４、出力データ生成部２１５、出力部２１６等を備える。
【００１２】
チューナ部２０１は、放送データ（放送信号、放送波）の受信部である。デマルチプレクサ部２０２は、受信された放送データから、各種データを分離する分離部である。放送データから分離された映像・音声データは、映像・音声再生部２１４へ送られる。また、放送データから分離された第一データ（表示データ）や第二データ（識別データ）は、記憶部２０４に送られる。記憶部２０４に送られ記憶される第一データや第二データは、ＨＴＴＰサーバ部２０５によって他の装置（例えば情報処理装置３００等）へ送られるデータである。また、放送データから分離された第三データ（第一データを取得するためのデータ）は、ウエブブラウザ部２０６に送られる。ウエブブラウザ部２０６は、第三データに対応した第一データを、通信部２０３を介してサーバ装置４００から取得することができる。本実施形態では、一例として、通信部２０３や、映像・音声再生部２１４、出力データ生成部２１５等が、放送波受信装置２００において受信された放送データに基づく映像が表示されるよう出力部２１６（表示部）を制御する表示制御部の一例である。なお、出力部２１６には、表示部（例えばＬＣＤ（liquid  crystal  display）等）の他、スピーカ等も含まれうる。
【００１３】
ウエブブラウザ部２０６は、ＪａｖａＳｃｒｉｐｔ（登録商標）処理部や、ＨＴＭＬ処理部、Ｖｉｄｅｏ／Ａｕｄｉｏエレメント処理部、ＡＰＩ（application program interface）処理部、ＣＳＳ処理部等（いずれも図示されず）を有し、取得した第一データを解析したり処理したりして得られたデータを、グラフィック再生部２１３やＨＴＴＰサーバ部２０５へ送る。ウエブブラウザ部２０６からグラフィック再生部２１３へ送られるデータは、出力データ生成部２１５を介して出力部２１６から出力（表示）される。一方、ウエブブラウザ部２０６からＨＴＴＰサーバ部２０５へ送られるデータは、当該ＨＴＴＰサーバ部２０５によって他の装置（例えば情報処理装置３００等）へ送られるデータであって、記憶部２０４へ記憶される。受信部２１２は、リモコン２１７（外部操作装置）から無線信号（例えば、赤外線信号等）を受信し、制御部２１１は、当該無線信号による指示に対応したデータをウエブブラウザ部２０６や出力データ生成部２１５へ送る。ウエブブラウザ部２０６は、一例としては、コンピュータの記憶部（例えば、ＨＤＤ（hard  disk  drive）等）に記憶され、コンピュータの演算処理部（例えば、ＣＰＵ（central  processing  unit）等）に読み出されて実行されたプログラム（アプリケーション等）の動作によって、実現される。
【００１４】
通信部２０３は、他装置（例えば、情報処理装置３００や、サーバ装置４００等）との間でのデータの授受を実行する。よって、本実施形態では、通信部２０３は、データ送信部の一例である。また、本実施形態では、一例として、通信部２０３は、出力部２１６で出力されている映像のチャンネルや、番組、番組の区分等の変化を監視し、当該変化が生じた場合に、当該変化が生じたことを他装置へ通知する（当該変化が生じたことを示すデータを送信する）ことができる。また、放送データに、図２に示されたような第二データ１０に替えて第二データ１０の元データが含まれていた場合、通信部２０３は、元データからサーバ装置４００にアクセスしたり、元データを解析したりすることによって、監視に用いられる第二データを生成することができる。すなわち、本実施形態では、通信部２０３は、放送波受信装置２００の出力部２１６で出力されている映像と情報処理装置３００の出力部３０６で出力されている映像との対応状態（連携状態）を監視する監視部（管理部、制御部、表示制御部）の一例である。通信部２０３の一部の機能も、コンピュータの記憶部（例えば、ＨＤＤ（hard  disk  drive）等）に記憶され、コンピュータの演算処理部（例えば、ＣＰＵ（central  processing  unit）等）に読み出されて実行されたプログラム（アプリケーション等）の動作によって、実現されうる。
【００１５】
なお、本実施形態での「対応状態」（連携状態）には、情報処理装置３００の出力部３０６で、放送波受信装置２００の出力部２１６で出力されている映像に対応した画像が偶然出力（表示）されている場合は含まれない。「対応状態」（連携状態）とは、放送波受信装置２００から取得したデータ（例えば第二データ）に基づいて、情報処理装置３００の出力部３０６で、放送波受信装置２００の出力部２１６で出力されている映像と対応していることがわかる画像（第二画像）が出力されている状態、を示す。そして、放送波受信装置２００の出力部２１６での映像と、情報処理装置３００の出力部３０６での画像とが、「対応状態」であることまたは「対応状態」でないことが、情報処理装置３００の出力部３０６あるいは放送波受信装置２００の出力部２１６で出力（表示）されるため、本実施形態では、一例として、予め、放送波受信装置２００と情報処理装置３００との間では、ネットワーク５００や、無線ＬＡＮ（local  area  network）、近距離通信等を介した所定の通信が行われる（確立される）などして、通信対象を示す情報（例えばＩＰ（internet  protocol）アドレスや、ＭＡＣ（media access control）アドレス等）が、放送波受信装置２００および情報処理装置３００の双方の所定の記憶部（図示されず）に保持されている。
【００１６】
また、本実施形態では、一例として、図３に示されるように、情報処理装置３００は、通信部３０１や、ウエブブラウザ部３０２、制御部３０３、出力データ生成部３０４、操作入力部３０５、出力部３０６等を備える。
【００１７】
通信部３０１は、他装置（例えば、放送波受信装置２００や、サーバ装置４００等）との間でのデータの授受を実行する。よって、本実施形態では、一例として、通信部３０１は、第一データ取得部、および第二データ取得部の一例である。また、本実施形態では、一例として、通信部３０１は、出力部３０６で出力されている画像の元となる第一データの変化を監視し、当該変化が生じた場合に、当該変化が生じたことをウエブブラウザ部３０２へ通知する（当該変化が生じたことを示すデータを送信する）ことができる。その場合、ウエブブラウザ部３０２は、当該変化に応じて、出力部３０６における出力（表示）を変更する。あるいは、通信部３０１は、当該変化が生じたことを他装置へ通知する（当該変化が生じたことを示すデータを送信する）ことができる。本実施形態では、通信部３０１は、放送波受信装置２００の出力部２１６で出力されている映像と情報処理装置３００の出力部３０６で出力されている映像との対応状態（連携状態）を監視する監視部（管理部、制御部、表示制御部）の一例である。通信部３０１の一部の機能も、コンピュータの記憶部（例えば、ＨＤＤ（hard  disk  drive）等）に記憶され、コンピュータの演算処理部（例えば、ＣＰＵ（central  processing  unit）等）に読み出されて実行されたプログラム（アプリケーション等）の動作によって、実現されうる。
【００１８】
ウエブブラウザ部３０２は、ＪａｖａＳｃｒｉｐｔ（登録商標）処理部や、ＨＴＭＬ処理部、Ｖｉｄｅｏ／Ａｕｄｉｏエレメント処理部、ＡＰＩ（application program interface）処理部、ＣＳＳ処理部等（いずれも図示されず）を有し、取得した第一データを解析したり処理したりして得られたデータを、出力データ生成部３０４へ送る。出力データ生成部３０４へ送られたデータは、出力部３０６から出力（表示）される。操作入力部３０５（一例としてはタッチパネル（タッチセンサ）、キーボード、ボタン、マウス、スイッチ等）はオペレータ（ユーザ等）の操作入力に基づく指示に対応したデータを生成し、制御部３０３は、当該データをウエブブラウザ部３０２や出力データ生成部３０４等へ送る。ウエブブラウザ部３０２は、一例としては、コンピュータの記憶部（例えば、ＨＤＤ（hard  disk  drive）等）に記憶され、コンピュータの演算処理部（例えば、ＣＰＵ（central  processing  unit）等）に読み出されて実行されたプログラム（アプリケーション等）の動作によって、実現される。本実施形態では、一例として、通信部３０１や、ウエブブラウザ部３０２、出力データ生成部３０４等が、情報処理装置３００において取得された第一データに基づく第一画像や第二データに基づく第二画像が表示されるよう出力部３０６（表示部）を制御する表示制御部の一例である。なお、出力部３０６には、表示部（例えばＬＣＤ（liquid  crystal  display）等）の他、スピーカ等も含まれうる。
【００１９】
図４，５には、放送波受信装置２００側で生じた要因によって情報処理装置３００の出力部３０６での表示が変更される場合の、放送波受信装置２００ならびに情報処理装置３００での処理フローの一例が示されている。図４には、放送波受信装置２００での処理の一例が示され、図５には、情報処理装置３００での処理の一例が示されている。
【００２０】
図４に示されるように、放送波受信装置２００において、通信部２０３は、ユーザによるチャンネル変更や、放送番組もしくは当該放送番組の区分の切り替わり、あるいは放送波受信装置２００の電源ＯＮ操作等、予め設定された（指定された）変化を監視し、それらのうちいずれかが生じた場合（ステップＳ１０１でＹｅｓ）、通信部２０３は、対応した情報処理装置３００があるいか否かを調べる（ステップＳ１０２）。ステップＳ１０１で設定された変化が生じない場合（ステップＳ１０１でＮｏ）、ならびにステップＳ１０２で対応した情報処理装置３００が無い場合には（ステップＳ１０２でＮｏ）、ステップＳ１０１に戻る。
【００２１】
放送波受信装置２００に対応した情報処理装置３００が有る場合（ステップＳ１０２でＹｅｓ）、通信部２０３は、放送データ中に第一データ〜第三データが含まれるか否かを調べる（ステップＳ１０３）。放送データ中に第一データが含まれていた場合（ステップＳ１０３でＹｅｓ）、通信部２０３は、放送データ中から取得された第一データを記憶部２０４に記憶させるとともに、当該第一データをＨＴＴＰサーバ部２０５から他装置としての情報処理装置３００へ送信可能な状態にする。あるいは、放送データ中に第一データに替えて当該第一データを取得するための第三データが含まれていた場合、通信部２０３は、サーバ装置４００等から第三データに対応する第一データを取得し、これを記憶部２０４に記憶するとともに、ＨＴＴＰサーバ部２０５から他装置としての情報処理装置３００へ送信可能な状態にすることができる（ステップＳ１０４）。
【００２２】
また、通信部２０３は、放送データ中に含まれる第二データを記憶部２０４に保持（記憶）させるとともに、情報処理装置３００へ送信可能な状態にする。あるいは、放送データに、第二データに替えて第二データの元データが含まれていた場合、通信部２０３は、元データからサーバ装置４００にアクセスしたり、元データを解析したりすることによって、監視に用いられる第二データを生成する（ステップＳ１０５）。第一データおよび第二データの情報処理装置３００への送信の準備ができた時点（ステップＳ１０４およびステップＳ１０５）、および、ステップＳ１０３で放送データ中に第一データ〜第三データが含まれていなかった場合（ステップＳ１０３でＮｏ）に、通信部２０３は、情報処理装置３００へ向けて、出力部２１６における映像の出力状態が変更されたことを通知する（ステップＳ１０６）。ここで、通知の対象となる状態とは、上記ステップＳ１０１で述べた予め設定された（指定された）変化が生じた状態である。
【００２３】
図５には、図４に対応して情報処理装置３００で実行される処理の一例が示されている。すなわち、情報処理装置３００の通信部３０１は、対応した放送波受信装置２００があるか否かを調べる（ステップＳ２０１）。対応した放送波受信装置２００がある場合（ステップＳ２０１でＹｅｓ）、通信部３０１は、その放送波受信装置２００から、図４のステップＳ１０６で出された変更通知を受け取ることができる（ステップＳ２０２）。ステップＳ２０１で対応した放送波受信装置２００が無い場合、ならびに、ステップＳ２０２で変更通知を受信できなかった場合、ステップＳ２０１へ戻る（ステップＳ２０１でＮｏ、またはステップＳ２０２でＮｏ）。
【００２４】
ステップＳ２０２で変更通知を受け取った場合、通信部３０１は、通信部２０３を介してＨＴＴＰサーバ部２０５にアクセスした結果として新たな（更新された）第一データおよび第二データを取得したか否かを調べる（ステップＳ２０３）。ステップＳ２０３で、新たな（更新された）第一データおよび第二データを取得したことが確認できなかった場合（ステップＳ２０３でＮｏ）、通信部３０１は、ウエブブラウザ部３０２を制御して、出力部３０６に、対応していないことを表示させる。すなわち、出力部３０６には、当該出力部３０６で表示される第一画像が出力部２１６で表示される映像に対応しているか否かを識別可能な第二画像が表示（あるいは変更）される（ステップＳ２０９）。第二画像の種々の例については、後述する。
【００２５】
一方、ステップＳ２０３で、第一データおよび第二データがあることが確認された場合（ステップＳ２０３でＹｅｓ）、通信部３０１は、さらに、出力部３０６で出力中（表示中）の第一画像の元となる第一データと新たに取得された第一データとを比較する（ステップＳ２０４）。ステップＳ２０４で、出力部３０６で出力中（表示中）の第一画像の元となる第一データと新たに取得された第一データとが同じであった場合（ステップＳ２０４でＮｏ）、通信部３０１は、ウエブブラウザ部３０２を制御して、出力部３０６に、対応していることを表示させる。すなわち、出力部３０６には、第二画像が表示される（ステップＳ２０８）。
【００２６】
一方、ステップＳ２０４で、出力部３０６で出力中（表示中）の第一画像の元となる第一データと新たに取得された第一データとが異なっていた場合（ステップＳ２０４でＹｅｓ）、通信部３０１は、ウエブブラウザ部３０２を制御して、出力部３０６に、対応していないことを表示させる。すなわち、出力部３０６には、第二画像が表示される（ステップＳ２０５）。
【００２７】
ステップＳ２０５の後、通信部３０１は、ウエブブラウザ部３０２を制御して、出力部３０６に、対応した画像を表示するか否かを選択させる画像を表示し、ユーザに選択入力を促す（ステップＳ２０６）。ユーザの入力により、対応した画像を表示することが選択された場合（ステップＳ２０６でＹｅｓ）、通信部３０１は、ウエブブラウザ部３０２を制御して、出力部３０６に、対応する第一データに基づく第一画像を表示させる（ステップＳ２０７）。次いで、通信部３０１は、ウエブブラウザ部３０２を制御して、出力部３０６に、対応していることを表示させる。すなわち、出力部３０６には、第二画像が表示される（ステップＳ２０８）。ユーザの入力により、対応した画像を表示しないことが選択された場合（ステップＳ２０６でＮｏ）、処理が終了される。
【００２８】
図６，７には、情報処理装置３００側で生じた要因によって情報処理装置３００の出力部３０６での表示が変更される場合の、情報処理装置３００での処理フローの一例が示されている。図６には、対応状態（連携状態）が解消された場合の情報処理装置３００での処理の一例が示され、図７には、対応状態（連携状態）が開始（再開）された場合の情報処理装置３００での処理の一例が示されている。
【００２９】
図６に示されるように、通信部３０１は、放送波受信装置２００との対応付けが無くなったこと、すなわち、放送波受信装置２００が通信対象では無くなったことを調べる（ステップＳ３０１）。ステップＳ３０１で放送波受信装置２００との対応付けが無くなったことが確認された場合（ステップＳ３０１でＹｅｓ）、通信部３０１は、ウエブブラウザ部３０２を制御して、出力部３０６に、対応していないことを表示させる（ステップＳ３０５）。
【００３０】
また、ステップＳ３０１で、放送波受信装置２００との対応付けが無くなっていない場合（ステップＳ３０１でＮｏ）、通信部３０１は、ユーザやプログラム等による表示の変更や停止か否かを調べる（ステップＳ３０２）。ステップＳ３０２でユーザやプログラム等による表示の変更や停止ではなかった場合（ステップＳ３０２でＮｏ）、処理が終了される。一方、ステップＳ３０２で、ユーザやプログラム等による表示の変更や停止であった場合（ステップＳ３０２でＹｅｓ）、通信部３０１は、ウエブブラウザ部３０２を制御して、出力部３０６に、対応していないことを表示させる（ステップＳ３０５）。
【００３１】
また、ステップＳ３０１で、放送波受信装置２００との対応付けが無くなっていない場合（ステップＳ３０１でＮｏ）、通信部３０１は、さらに、ユーザやプログラム等によるアクセス先の変更か否かを調べる（ステップＳ３０３）。ステップＳ３０３で、アクセス先の変更であった場合（ステップＳ３０３でＹｅｓ）、通信部３０１は、さらに、当該変更先（例えば、変更先の第一データの識別子）が第二データに対応しているか否かを調べる（ステップＳ３０４）。ステップＳ３０４で、変更先（例えば、変更先の第一データの識別子）が第二データに対応していない場合（ステップＳ３０４でＮｏ）、通信部３０１は、ウエブブラウザ部３０２を制御して、出力部３０６に、対応していないことを表示させる（ステップＳ３０５）。一方、ステップＳ３０３でアクセス先の変更でなかった場合（ステップＳ３０３でＮｏ）、またはステップＳ３０４で変更先が第二データに対応している場合（ステップＳ３０４でＹｅｓ）には、処理が終了される。
【００３２】
一方、図７に示されるように、通信部３０１は、放送波受信装置２００との対応付けが無く（ステップＳ４０１でＹｅｓ）、さらにその状態から放送波受信装置２００との対応付けが開始（または再開）される場合（ステップＳ４０２でＹｅｓ）、および、ステップＳ４０１で放送波受信装置２００との対応付けがある場合（ステップＳ４０１でＮｏ）には、出力部３０６で表示中の第一画像が第二データに対応しているか否かを調べる（ステップＳ４０３）。ステップＳ４０２で、放送波受信装置２００との対応付けが開始（または再開）されない場合（ステップＳ４０２でＮｏ）、ステップＳ４０２が繰り返される。
【００３３】
ステップＳ４０３で、出力部３０６で表示中の第一画像が第二データに対応している場合（ステップＳ４０３でＹｅｓ）、通信部３０１は、ユーザやプログラム等による第二データに対応した第一画像の表示開始か否かを調べる（ステップＳ４０４）。ステップＳ４０４で、ユーザやプログラム等による第二データに対応した第一画像の表示開始であった場合（ステップＳ４０４でＹｅｓ）、通信部３０１は、ウエブブラウザ部３０２を制御して、出力部３０６に、対応していることを表示させる（ステップＳ４０７）。
【００３４】
ステップＳ４０３で、出力部３０６で表示中の第一画像が第二データに対応していない場合（ステップＳ４０３でＮｏ）、ならびに、ステップＳ４０４で、ユーザやプログラム等による第二データに対応した第一画像の表示開始でなかった場合（ステップＳ４０４でＮｏ）には、通信部３０１は、ユーザやプログラム等によるアクセス先の変更か否かを調べる（ステップＳ４０５）。ステップＳ４０５で、ユーザやプログラム等によるアクセス先の変更ではなかった場合（ステップＳ４０５でＮｏ）、処理が終了される。
【００３５】
ステップＳ４０５で、ユーザやプログラム等によるアクセス先の変更であった場合（ステップＳ４０５でＹｅｓ）、通信部３０１は、変更先は第二データに対応するか否かを調べる（ステップＳ４０６）。ステップＳ４０６で、変更先は第二データに対応する場合（ステップＳ４０６でＹｅｓ）、通信部３０１は、ウエブブラウザ部３０２を制御して、出力部３０６に、対応していることを表示させる（ステップＳ４０７）。一方、ステップＳ４０６で、変更先は第二データに対応しない場合（ステップＳ４０６でＮｏ）、処理が終了される。
【００３６】
図８は、情報処理装置３００の出力部３０６に表示された第一画像Ｉｍ１が、放送波受信装置２００の出力部２１６に表示された映像と対応していない場合における情報処理装置３００の概略図、一方、図９は、情報処理装置３００の出力部３０６に表示された第一画像Ｉｍ１が、放送波受信装置２００の出力部２１６に表示された映像と対応している場合における情報処理装置３００の概略図である。図９に例示されるように、対応している状態では、第一データに基づく第一画像Ｉｍ１の一部が、他の部分（一般部分）とは異なった状態に表示される。図９の例では、第一画像Ｉｍ１内の、ＵＲＬの文字の背景および周囲の領域（図９中にドットパターンで示された領域）が、例えば、他の部分の背景と比べて目立つ色で着色されている。すなわち、この着色された領域が、第二画像Ｉｍ２の一例である。よって、本実施形態によれば、一例としては、情報処理装置３００のユーザは、この着色された領域の有無によって、情報処理装置３００の出力部３０６の第一画像Ｉｍ１が、放送波受信装置２００の出力部２１６の映像と対応しているか否かが、より認識されやすい。
【００３７】
図１０の例では、第二画像Ｉｍ２は、一例として、第一画像Ｉｍ１の周囲に、枠状に着色された領域（図１０中にドットパターンで示された領域）として、表示される。すなわち、この着色された領域が、第二画像Ｉｍ２の一例である。よって、本実施形態によれば、一例としては、情報処理装置３００のユーザは、この着色された領域の有無によって、情報処理装置３００の出力部３０６の第一画像Ｉｍ１が、放送波受信装置２００の出力部２１６の映像と対応しているか否かが、より認識されやすい。
【００３８】
図１１には、情報処理装置３００の出力部３０６の第一画像Ｉｍ１と放送波受信装置２００の出力部２１６の映像との対応付け（連携）が無くなった場合に、出力部３０６に表示されるポップアップ画像Ｉｍ３の一例が、示されている。ポップアップ画像Ｉｍ３も、第二画像Ｉｍ２の一例である。また、このポップアップ画像Ｉｍ３には、操作入力領域Ｉｍ３ａ，Ｉｍ３ｂが設定されている。よって、ユーザは、操作入力部３０５（タッチパネル）の操作入力領域（ボタン）Ｉｍ３ａ，Ｉｍ３ｂを操作することで、操作を選択することができる。
【００３９】
図１２の例では、第二画像Ｉｍ２は、一例として、第一画像Ｉｍ１中の複数のタブＩｍ１ａ〜Ｉｍ１ｅ（表示要素、形状）のうち選択的に着色されたタブＩｍ１ｄ（図１２中にドットパターンで示された領域）として、表示される。すなわち、この着色されたタブＩｍ１ｄ（領域）が、第二画像Ｉｍ２の一例である。よって、本実施形態によれば、一例としては、情報処理装置３００のユーザは、この着色されたタブＩｍ１ｄ（領域）の有無によって、情報処理装置３００の出力部３０６の第一画像Ｉｍ１が、放送波受信装置２００の出力部２１６の映像と対応しているか否かを、より認識しやすい。また、第二画像Ｉｍ２となり得るタブが存在しない場合は新たなタブを作成し、第二画像Ｉｍ２を表示してもよい。さらに、本実施形態では、一例として、このタブＩｍ１ａ〜Ｉｍ１ｅ（領域）を、操作入力部３０５（タッチパネル）の操作入力領域として設定することができる。具体的には、一例として、ユーザがタブＩｍ１ａ〜Ｉｍ１ｅに触れた場合、触れたタブＩｍ１ａ〜Ｉｍ１ｅに対応した第一画像Ｉｍ１が表示されるよう、構成されている。よって、ユーザは、操作入力部３０５（タッチパネル）の操作入力領域としてのタブＩｍ１ａ〜Ｉｍ１ｅを操作することで、出力部３０６で表示される第一画像を比較的容易に切り替えることができる。
【００４０】
図１３の例では、第一画像Ｉｍ１には、一例として、チャンネルを示す複数のボタンＩｍ１ｆ〜Ｉｍ１ｎ（表示要素、形状）が含まれている。具体的に、第二画像Ｉｍ２は、第一画像Ｉｍ１中の複数のボタンＩｍ１ｆ〜Ｉｍ１ｎのうち選択的に着色されたボタンＩｍ１ｋ（図１３中にドットパターンで示された領域）として、表示される。すなわち、この着色されたボタンＩｍ１ｋ（領域）が、第二画像Ｉｍ２の一例である。よって、本実施形態によれば、一例としては、情報処理装置３００のユーザは、この着色されたボタンＩｍ１ｋ（領域）の有無によって、情報処理装置３００の出力部３０６の第一画像Ｉｍ１が、放送波受信装置２００の出力部２１６の映像と対応しているか否かを、より認識しやすい。さらに、本実施形態では、一例として、このボタンＩｍ１ｆ〜Ｉｍ１ｎを、操作入力領域として設定することができる。具体的には、一例として、ユーザがボタンＩｍ１ｆ〜Ｉｍ１ｎに触れた場合、触れたボタンＩｍ１ｆ〜Ｉｍ１ｎに対応したチャンネルの第一画像Ｉｍ１が表示されるよう、構成されている。よって、ユーザは、操作入力部３０５（タッチパネル）の操作入力領域としてのボタンＩｍ１ｆ〜Ｉｍ１ｎを操作することで、出力部３０６で表示される第一画像を比較的容易に切り替えることができる。また、図１３の例では、第一画像Ｉｍ１は、放送波受信装置２００の出力部２１６の映像とは対応していない。このような場合には、第一画像Ｉｍ１の対応する放送データのチャンネルを識別可能な第三画像Ｉｍ５が表示される。具体的に、第三画像Ｉｍ５は、第一画像Ｉｍ１中の複数のボタンＩｍ１ｆ〜Ｉｍ１ｎのうち例えば太枠の画像を配置されたボタンＩｍ１ｎとして表示される。そして図１３の例においてユーザがボタンＩｍ１ｋに触れると、当該Ｉｍ１ｋに対応したチャンネルの第一画像Ｉｍ１が画面に表示される。そしてこの場合の第一画像Ｉｍ１においては、ボタンＩｍ１ｋには太枠の画像が配置されるとともに着色される。よって、本実施形態によれば、一例としては、放送波受信装置２００および情報処理装置３００のユーザは、この着色された領域及び太枠の画像によって、情報処理装置３００の出力部３０６の第一画像Ｉｍ１がどのチャンネルに対応しているか、ならびに、放送波受信装置２００の出力部２１６の映像と対応しているか否かを、より一層認識しやすい。
【００４１】
図１４，１５には、放送波受信装置２００の出力部２１６ならびに情報処理装置３００の出力部３０６において、異なる複数の映像２１６ａ，２１６ｂならびに第一画像Ｉｍ１ｐ，Ｉｍ１ｒが表示される例が示されている。この例では、二つの映像２１６ａ，２１６ｂのうち右側の映像２１６ｂが、情報処理装置３００の出力部３０６で表示されている第一画像Ｉｍ１ｐ，Ｉｍ１ｒのうち右側の画像Ｉｍ１ｒに対応している。そして、第二画像Ｉｍ２，Ｉｍ４が、互いに対応した映像２１６ｂならびに画像Ｉｍ１ｒのそれぞれの周囲に、枠状に着色された領域（図１４，１５中にドットパターンで示された領域）として、表示される。すなわち、この着色された領域が、第二画像Ｉｍ２，Ｉｍ４の一例である。よって、本実施形態によれば、一例としては、放送波受信装置２００および情報処理装置３００のユーザは、この着色された領域の有無によって、情報処理装置３００の出力部３０６のどの第一画像Ｉｍ１ｐ，Ｉｍ１ｒと放送波受信装置２００の出力部２１６のどの映像Ｉｍ１ｐ，Ｉｍ１ｒとが対応しているか否かを、より認識しやすい。
【００４２】
以上、説明したように、本実施形態では、一例として、情報処理装置３００のウエブブラウザ部３０２等の表示制御部は、第一データと第二データとに基づいて、情報処理装置３００の出力部３０６で表示される第一画像Ｉｍ１が放送波受信装置２００の出力部２１６で表示される映像に対応しているか否かを識別可能な第二画像Ｉｍ２を表示するよう、出力部３０６を制御する。よって、本実施形態によれば、一例としては、情報処理装置３００に表示される画像が放送波受信装置２００によって表示されている映像と対応しているか否かがよりわかりやすい。
【００４３】
また、本実施形態では、一例として、第二データは、放送データに対応した第一データの識別子を含む。よって、本実施形態によれば、一例としては、情報処理装置３００は、画像が放送波受信装置２００によって表示されている映像に対応しているか否かの判別をより容易あるいはより迅速に行うことができる。
【００４４】
また、本実施形態では、一例として、第二データは、第一データに対応した時間データを含む。よって、本実施形態によれば、一例としては、番組中の時間の区分毎に、映像に対応した第一データの範囲を設定することができる。
【００４５】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【００４６】
また、本発明は種々に変形可能である。例えば、本発明は、放送波受信装置または放送波受信装置に電気的に接続された映像表示装置の表示部に、映像を表示する画面と、第一画像を表示する画面とが含まれる構成として構成することもできる。この場合も、上記実施形態とほぼ同様の処理で、同様の効果が得られる。また、上記各実施形態の技術的特徴は、適宜に組み合わせたり置換したりして実施することができる。また、各構成要素や第二画像のスペック（構造や、種類、方向、形状、大きさ、長さ、幅、厚さ、高さ、数、配置、位置、材質等）は、適宜に変更して実施することができる。例えば、識別子としては、ＵＲＬに替えて、ＩＰアドレス等を用いてもよい。
【符号の説明】
【００４７】
１０…第二データ、１１…識別子、１２…時間データ、２００…放送波受信装置、２０１…チューナ部（放送データ受信部）、２０３…通信部（データ送信部）、２０６…ウエブブラウザ部（表示制御部）、２１４…映像・音声再生部（表示制御部）、２１５…出力データ生成部（表示制御部）、２１６…出力部（表示部）、２１６ａ，２１６ｂ…映像、３００…情報処理装置（自装置）、３０１…通信部（第一データ取得部、第二データ取得部）、３０６…出力部（表示部）、Ｉｍ１，Ｉｍ１ａ〜Ｉｍ１ｎ，Ｉｍ１ｐ，Ｉｍ１ｒ…第一画像、Ｉｍ２，Ｉｍ４…第二画像。
【図１】
2013131163.tif 000003
【図２】
2013131163.tif 000004
【図３】
2013131163.tif 000005
【図４】
2013131163.tif 000006
【図５】
2013131163.tif 000007
【図６】
2013131163.tif 000008
【図７】
2013131163.tif 000009
【図８】
2013131163.tif 000010
【図９】
2013131163.tif 000011
【図１０】
2013131163.tif 000012
【図１１】
2013131163.tif 000013
【図１２】
2013131163.tif 000014
【図１３】
2013131163.tif 000015
【図１４】
2013131163.tif 000016
【図１５】
2013131163.tif 000017
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
自装置の外部から第一データを取得する第一データ取得部と、
前記第一データに基づく第一画像を表示する第一表示部と、
受信した放送データに基づく映像を前記第一表示部とは異なる第二表示部に表示させる放送波受信装置から、前記放送データに対応した前記第一データを識別可能にする第二データを取得する第二データ取得部と、
前記第一データ取得部で取得された前記第一データに基づく前記第一画像が表示されるように前記第一表示部を制御するとともに、前記第一データ取得部で取得された前記第一データと前記第二データ取得部で取得された前記第二データとに基づいて、前記第一表示部で表示される前記第一画像が前記第二表示部で表示される前記映像に対応した状態であるか否かを識別可能な第二画像を表示するよう前記第一表示部を制御する表示制御部と、
を備えた、情報処理装置。
【請求項２】
前記表示制御部は、前記第二データ取得部で取得された前記第二データが変化した場合に、当該第二データの変化に応じて更新された前記第二画像を表示するよう前記第一表示部を制御する、請求項１に記載の情報処理装置。
【請求項３】
前記表示制御部は、前記第一データ取得部で取得された前記第一データが変化した場合に、当該第一データの変化に応じて更新された前記第二画像を表示するよう前記第一表示部を制御する、請求項１または２に記載の情報処理装置。
【請求項４】
前記第二データは、前記放送データに対応した前記第一データの識別子を含む、請求項１〜３のうちいずれか一つに記載の情報処理装置。
【請求項５】
前記第二データは、前記放送データに対応した複数の前記第一データの識別子を含む、請求項４に記載の情報処理装置。
【請求項６】
前記第二データは、前記第一データに対応した時間データを含む、請求項１〜５のうちいずれか一つに記載の情報処理装置。
【請求項７】
前記第二データは、前記放送データに含まれる、請求項１〜６のうちいずれか一つに記載の情報処理装置。
【請求項８】
前記第一データは、前記放送データに含まれ、
前記第一データ取得部は、前記放送波受信装置から前記第一データを取得する、請求項１〜７のうちいずれか一つに記載の情報処理装置。
【請求項９】
放送データを受信する放送データ受信部と、
前記放送データ受信部で受信された前記放送データに基づく映像が第一表示部で表示されるよう当該第一表示部を制御する表示制御部と、
自装置と電気的に接続された情報処理装置の第二表示部で表示される画像の元となる第一データが前記第一表示部で表示される映像の元となる前記放送データに対応した状態であるか否かを識別可能とする第二データを前記情報処理装置に向けて送信するデータ送信部と、
を備えた、放送波受信装置。
【請求項１０】
情報処理装置の表示制御方法であって、
前記情報処理装置が、
自装置の外部から第一データを取得すること、
前記第一データに基づく第一画像が表示されるよう第一表示部を制御すること、
受信した放送データに基づく映像を第一表示部とは異なる第二表示部に表示させる放送波受信装置から、前記放送データに対応した前記第一データを識別可能にする第二データを取得すること、および、
前記取得された前記第一データと前記取得された前記第二データとに基づいて、前記第一表示部で表示される前記第一画像が前記第二表示部で表示される前記映像に対応した状態であるか否かを識別可能な第二画像を表示するよう前記第一表示部を制御すること、
を含む表示制御方法。
【手続補正２】
【補正対象書類名】明細書
【補正対象項目名】０００５
【補正方法】変更
【補正の内容】
【０００５】
本発明の実施形態にかかる情報処理装置は、第一データ取得部と、第一表示部と、第二データ取得部と、表示制御部と、を備えた。第一データ取得部は、自装置の外部から第一データを取得する。第一表示部は、第一データに基づく第一画像を表示する。第二データ取得部は、受信した放送データに基づく映像を第一表示部とは異なる第二表示部に表示させる放送波受信装置から、放送データに対応した第一データを識別可能にする第二データを取得する。表示制御部は、第一データ取得部で取得された第一データに基づく第一画像が表示されるように第一表示部を制御するとともに、第一データ取得部で取得された第一データと第二データ取得部で取得された第二データとに基づいて、第一表示部で表示される第一画像が第二表示部で表示される映像に対応した状態であるか否かを識別可能な第二画像を表示するよう第一表示部を制御する。